(57)【要約】【課題】  くじ券購入者が購入したくじ券の当選を容易に知ることができるくじ当選通知システムを実現する。【解決手段】  携帯電話機２の電子カメラ機能によって購入した購入くじ券１に印刷されているＱＲコード１１を読み取って購入くじ券情報として該携帯電話機２への連絡先情報と共にくじ管理サーバ３０に送信して保持させ、くじ管理サーバ３０は、当選した当選番号を取得すると共に保持している購入くじ券情報と照合して該当する購入くじ券情報を抽出し、抽出した購入くじ券情報に対応する連絡先情報の携帯電話機に当選番号を送信する。【選択図】  図２
2008152683.tif 000002
【特許請求の範囲】
【請求項１】
購入したくじ券の購入くじ情報と当該くじ券の購入者の連絡先を記憶しておき、当選したくじ券の当選番号を当該くじ券の購入者の連絡先に通知し、くじ情報を管理するくじ管理サーバを備えたくじ当選通知システムにおいて、
前記くじ管理サーバは、携帯電話機と通信して購入くじ券情報と当該携帯電話機への連絡先情報を取得して保持する手段と、くじの当選番号を取得して保持している購入くじ券情報から該当する購入くじ券情報を抽出し、抽出した購入くじ券情報に対応する連絡先情報の携帯電話機に当該当選番号を送信する手段とを備え、
前記携帯電話機は、購入するくじ券に印刷されている購入くじ券情報を含むＱＲコードを読み取って購入くじ券情報を解読し、解読した購入くじ券情報と携帯電話機の連絡先情報を対応付けて前記くじ管理サーバに送信する手段を備えたことを特徴とするくじ当選通知システム。
【請求項２】
通信網を介して接続される購入くじ券に印刷されたＱＲコードから当該購入くじ券情報及び当選番号を取得する携帯電話機と、くじ券の当選番号を取得する抽選会場クライアントと、当該携帯電話機からの当該購入くじ券情報と当該携帯電話機の連絡先情報とを対応付けて記憶し、当該クライアントからくじ券の当選番号を取得するくじ管理サーバとを備え、当選したくじ券の当選番号を当該くじ管理サーバから当該当選したくじ券の購入者の携帯電話機の連絡先に通知することを特徴とするくじ当選通知システム。
【請求項３】
通信網を介して接続される購入くじ券に印刷されたＱＲコードから当該購入くじ券情報及び当選番号を取得する携帯電話機と、くじ券の当選番号を取得する抽選会場クライアントと、当該携帯電話機からの当該購入くじ券情報と当該携帯電話機の連絡先情報とを対応付けて記憶し、当該クライアントからくじ券の当選番号を取得するくじ管理サーバとを備え、当選したくじ券の当選番号を当該くじ管理サーバから当該当選したくじ券の購入者の携帯電話機の連絡先に通知するくじ当選通知システムにおいて、
前記携帯電話機は、当該購入くじ券からくじ券情報を読み取るＱＲコード読取部と、
当該ＱＲコード読取部により読み取った当該購入くじ情報を当該くじ管理サーバに送信する購入くじ券情報・電話番号送信処理部と、当選番号を受信する該当当選番号受信処理部を備え、
当該くじ管理サーバは、携帯電話機から当該購入くじ情報を受信する購入くじ券情報・電話番号受信処理部と、当該クライアントからの当選番号を受信する当選番号受信処理部と、当該当選番号が当該くじ管理サーバに登録されているかを検索し、該当する登録者の携帯電話機の連絡先へ当選番号情報を送信する当選番号送信処理部を備え、
当該クライアントは、抽選会場で取得した当選番号情報を当該くじ管理サーバへ送信する当選番号送信処理部を備えることを特徴とするくじ当選通知システム。
【請求項４】
請求項１、２又は３において、前記携帯電話機への連絡先情報は、前記携帯電話機の電話番号であることを特徴とするくじ当選通知システム。
【請求項５】
請求項１、２又は３において、前記携帯電話機への連絡先情報は、前記携帯電話機のメールアドレスであることを特徴とするくじ当選通知システム。
【請求項６】
購入する購入くじ券に印刷されている購入くじ券情報を含むＱＲコードを読み取って購入くじ券情報を解読し、解読した購入くじ券情報と携帯電話機への連絡先情報を対応付けてくじ管理サーバに送信する手段を備えたことを特徴とする携帯電話機。
【請求項７】
請求項６において、前記携帯電話機への連絡先情報は、前記携帯電話機の電話番号であることを特徴とする携帯電話機。
【請求項８】
請求項６において、前記携帯電話機への連絡先情報は、前記携帯電話機のメールアドレスであることを特徴とする携帯電話機。
【請求項９】
携帯電話機と通信して購入くじ券情報と該携帯電話機への連絡先情報を取得して保持する購入くじ券情報を抽出し、抽出した購入くじ券情報に対応する連絡先情報の携帯電話機に当選番号を送信する手段とを備えたことを特徴とするくじ管理サーバ。
【請求項１０】
請求項９において、前記携帯電話機への連絡先情報は、前記携帯電話機の電話番号であることを特徴とするくじ管理サーバ。
【請求項１１】
請求項９において、前記携帯電話機への連絡先情報は、前記携帯電話機のメールアドレスであることを特徴とするくじ管理サーバ。
【請求項１２】
くじ券情報を含むＱＲコードを印刷したくじ券。
【発明の詳細な説明】
【技術分野】
【０００１】
本発明は、宝くじ等のくじ券（当せん金付証票等）の当選情報を当選したくじ券購入者に通知するくじ当選通知システム及びそのくじ当選通知システムに使用するのに好適な携帯電話機、くじ管理サーバ及びくじ券に関する。
【背景技術】
【０００２】
宝くじ販売機能を備えたＡＴＭ（現金自動取引装置）が発行する宝くじ券の番号を該ＡＴＭで読み取って購入者の連絡先情報と対応付けてデータベースに格納しておき、サーバによって宝くじの当選番号とデータベースに格納している宝くじ券番号を照合して当選宝くじ券番号を抽出すると共に当選宝くじ券の購入者の連絡先情報を用いて該連絡先に当選通知を行うようにした宝くじの当選通知システムが提案されている。
【特許文献１】特開２００２−１４９８９３号公報
【発明の開示】
【発明が解決しようとする課題】
【０００３】
従来の宝くじの当選通知システムは、宝くじ販売機能を備えたＡＴＭを使用して実現する構成であることから、宝くじ購入者は、宝くじ販売機能を備えたＡＴＭの設置場所に赴くことが必要であり、不便であった。
【０００４】
本発明の目的は、くじ販売機能を備えたＡＴＭを使用することなく携帯電話機を使用して当選通知を行うことができる便利なくじ当選通知システムを実現することにある。
【０００５】
本発明の他の目的は、電子カメラ機能を備えた携帯電話機を使用して実現することができる便利なくじ当選通知システムを実現することにある。
【課題を解決するための手段】
【０００６】
本発明は、購入するくじ券の購入くじ券情報と購入者への連絡先を記憶しておき、当選した購入くじ券の当選番号を購入者への連絡先に通知するくじ管理サーバを備えたくじ当選通知システムにおいて、
前記くじ管理サーバは、携帯電話機と通信して購入くじ券情報と該携帯電話機への連絡先情報を取得して保持する手段と、抽選されたくじの当選番号を取得して保持している購入くじ券情報から該当する購入くじ券情報を検索して抽出し、抽出した購入くじ券情報に対応する連絡先情報の携帯電話機に当選番号を送信する手段とを備え、
前記携帯電話機は、購入する購入くじ券に印刷されている購入くじ券情報を含むＱＲコードを読み取って購入くじ券情報を解読し、解読した購入くじ券情報と携帯電話機の連絡先情報を対応付けて前記くじ管理サーバに送信する手段を備えたことを特徴とする。
【発明の効果】
【０００７】
本発明によれば、くじ販売機能を備えたＡＴＭを使用することなく携帯電話機を使用して当選通知を行うことができる便利なくじ当選通知システムを実現することができる。
また、電子カメラ機能を備えた携帯電話機を使用して実現することができる便利なくじ当選通知システムを実現することができる。
【発明を実施するための最良の形態】
【０００８】
本発明のくじ当選通知システムは、電子カメラ機能を備えた携帯電話機とくじ管理サーバと抽選会場クライアントとを通信網を介して接続することにより実現する。
前記携帯電話機は、購入する購入くじ券に印刷されている購入くじ券情報を含むＱＲコードを読み取って購入くじ券情報を解読し、解読した購入くじ券情報と携帯電話機の連絡先情報を対応付けて前記くじ管理サーバに送信する手段を備え、
前記くじ管理サーバは、携帯電話機と通信して購入くじ券情報と該携帯電話機への連絡先情報を取得して保持する手段と、抽選されたくじの当選番号を取得して保持している購入くじ券情報から該当する購入くじ券情報を検索して抽出し、抽出した購入くじ券情報に対応する連絡先情報の携帯電話機に当選番号を送信する手段とを備え、
前記抽選会場クライアントは、当選番号をくじ管理サーバに送信する手段を備えた構成とする。
【実施例１】
【０００９】
本発明の実施例１を図面を参照して説明する。
【００１０】
図１は、くじ当選通知システムの全体構成を示す概要図である。
【００１１】
図1において、１はくじ券（購入くじ券）、１１はくじ券１に印刷されているくじ券のくじ券情報を含んだＱＲコード（Quick Response Code）である。ここで、ＱＲコード１１に含まれるくじ券情報は、くじ券１を特定するくじの名称、くじ券番号、抽選日等であり、この実施例１のくじ当選通知システムを実現するためにくじ券１に予め印刷しておくものとする。
【００１２】
２は、通話機能と共にメール機能や電子カメラ機能を備えた携帯電話機であり、購入するくじ券（購入くじ券）１に印刷されているＱＲコード１１を電子カメラ機能を用いて読み取って購入くじ券１の情報を解読し、解読した購入くじ券情報を該購入くじ券の抽選による当選番号の連絡（報告）先情報である該携帯電話機２の連絡先情報、例えば、電話番号と共に後述するくじ管理センター（くじ管理サーバ）に送信する機能を備える。
【００１３】
本発明において、購入くじ券における購入には、購入の他、贈与、相続その他の一般承継を含む意味である。
【００１４】
３は、くじ管理センター（くじ管理サーバ）であり、携帯電話機２から送信された購入くじ券情報と電話番号を受信して保持し、管理対象くじの名称と抽選日を保持して該管理対象くじの抽選日に該くじの抽選会場から当選番号を取得し、保持している購入くじ券情報から当選番号に該当する購入くじ券情報を抽出（検索）し、該当選くじ券情報の携帯電話番号の携帯電話機２に当選番号を通知する機能を備える。
【００１５】
４は、くじ抽選会場（クライアント）であり、前記くじ管理センター（くじ管理サーバ）３との間でくじ名称と当選番号の交信を行う機能を備える。このくじ名称と当選番号の交信は、電子データの形態での交信や印刷データの形態での交信や音声データの形態での交信の何れの形態であっても良い。
【００１６】
図２は、くじ当選通知システムの全体構成を示すブロック図である。
【００１７】
図２において、１は購入くじ券であり、１１は購入くじ券１に印刷されたくじ券情報を含んだＱＲコードである。
【００１８】
２は携帯電話機であり、電子カメラ機能を使用するＱＲコード読取部２１と、各種の情報を表示する表示部２２と、受話器２３と、送話器２４と、入力操作部（ダイヤルパネル）２５と、通信部２６と、制御部２７を備える。
【００１９】
前記制御部２７は、マイクロプロセッサとプログラムによって構成し、通常の携帯電話機能処理部のほかにＱＲコード解読処理部２７１と、購入くじ券情報・電話番号送信処理部２７２と、該当当選番号受信処理部２７３を備える。
【００２０】
そして、前記制御部２７は、入力操作部２５からの指示入力に基づいて、ＱＲコード読取部２１に指示して購入くじ券１に印刷されているＱＲコード１１を読み取り、ＱＲコード解読処理部２７１を機能させて読み取ったＱＲコード１１に含まれている購入くじ券情報を解読し、更に、購入くじ券情報・電話番号送信処理部２７２を機能させて前記購入くじ券情報と該携帯電話機２の電話番号を対応させて通信部２６を介してくじ管理センター３のくじ管理サーバ３０（後述する）に送信させる処理を実行する。
【００２１】
また、前記制御部２７は、通信部２６がくじ管理センター３のくじ管理サーバ３０から当選番号通知を受信すると、該当当選番号受信処理部２７３が機能して該当選番号を表示部２２に表示して報知する処理を実行する。
【００２２】
３０は、くじ管理センター３に設置され、くじ情報を管理するくじ管理サーバであり、入力操作部３１と、表示部３２と、通信部３３と、購入くじ券情報・電話番号管理テーブル３４と、当選番号情報管理テーブル３５と、制御部３６を備える。
【００２３】
前記制御部３６は、マイクロプロセッサとプログラムによって構成し、購入くじ券情報・電話番号受信処理部３６１と、当選番号受信処理部３６２と、購入くじ券当選番号抽出処理部３６３と、当選番号送信処理部３６４とを備える。
【００２４】
そして、前記制御部３６は、通信部３３が携帯電話機２から購入くじ券情報と連絡先の電話番号を受信すると、購入くじ券情報・電話番号受信処理部３６１を機能させて受信した購入くじ券情報と連絡先の電話番号を購入くじ券情報・電話番号管理テーブル３４（後述する）に記録して保持する処理を実行する。
【００２５】
また、通信部３３がくじ抽選会場４の抽選会場クライアント４０（後述する）から当選番号の通知を受信すると、当選番号受信処理部３６２を機能させて受信した当選番号を当選番号情報管理テーブル３５（後述する）に記録して保持する処理を実行する。
【００２６】
次いで、購入くじ券当選番号抽出処理部３６３を機能させて購入くじ券情報・電話番号管理テーブル３４の保持情報と当選番号情報管理テーブル３５の保持情報を照合して当選している購入くじ券番号を検索して抽出する処理を実行する。
【００２７】
次いで、当選番号送信処理部３６４を機能させて当選している購入くじ券番号の連絡先である携帯電話番号の携帯電話機２に該当選番号を送信する処理を実行する
【００２８】
４０は、くじ抽選会場４に設置された抽選会場クライアントであり、くじ名称と当選番号を入力する入力操作部４１と、表示部４２と、通信部４３と、制御部４４とを備える。
【００２９】
前記制御部４４は、マイクロプロセッサとプログラムによって構成し、くじ名称と当選番号を送信処理する当選番号送信処理部４４１を備える。
【００３０】
そして、前記制御部４４は、入力操作部４１から当選番号が入力されると、当選番号送信処理部４４１を機能させて該当選番号をくじ管理センター３のくじ管理サーバ３０に送信する処理を実行する。
【００３１】
５は、前記携帯電話機２と、くじ管理サーバ３０と、抽選会場クライアント４０を通信可能に接続する通信網であり、インターネット回線や有線又は無線の通信網である。
【００３２】
図３は、くじ管理サーバ３０において、携帯電話機２から受信した購入くじ券情報と当選番号連絡先である携帯電話機２の電話番号を管理する購入くじ券情報・電話番号管理テーブル３４の記録フォーマットを示したものである。
３４１は登録ＩＤ、３４２は携帯電話機２の電話番号、３４３はくじ名称、３４４は購入くじ券番号を記録して保持する領域である。
【００３３】
図４は、当選したくじ券の情報を管理する当選番号情報管理テーブル３５の記録フォーマットを示したものである。
３５１はくじ名称、３５２は抽選日、３５３は当選番号、３５４は有効期限、３５５は賞金を記録して保持する領域である。
【００３４】
図５〜図７は、購入くじ券当選番号の通知を実現するために携帯電話機２とくじ管理サーバ３０と抽選会場クライアント４０が連携して実行する処理のフローチャートである。
【００３５】
図５は、くじ管理センター３に設置されたくじ管理サーバ３０の制御部３６が実行する処理のフローチャートである。
【００３６】
ステップ５０１
携帯電話機２から送信される購入くじ券情報と電話番号の受信と、抽選会場クライアント４０からの当選番号の受信を確認して処理を分岐する。
【００３７】
ステップ５０２
携帯電話機２から送信される購入くじ券情報と電話番号を受信すると、購入くじ券情報・電話番号受信処理部３６１を機能させて受信した購入くじ券情報と電話番号を購入くじ券情報・電話番号管理テーブル３４に記録して保持する。
【００３８】
ステップ５０３
抽選会場クライアント４０から当選番号を受信すると、当選番号受信処理部３６２を機能させて受信した当選番号を当選番号情報管理テーブル３５に記録して保持する。
【００３９】
ステップ５０４
購入くじ券当選番号抽出処理部３６３を機能させて購入くじ券情報・電話番号管理テーブル３４に保持している購入くじ券情報と当選番号情報管理テーブル３５に保持している当選番号を照合し、当選番号に該当する購入くじ券情報を抽出する。
【００４０】
ステップ５０５
当選番号送信処理部３６４を機能させて当選番号に該当する購入くじ券情報に対応する電話番号の携帯電話機２に当選番号を送信する。
【００４１】
図６は、携帯電話機２の制御部２７が実行する処理のフローチャートである。
【００４２】
ステップ６０１
入力操作部２５からの指示入力に基づいて、ＱＲコード読取部２１を制御して購入くじ券１に印刷されているＱＲコード１１を読み取り、ＱＲコード解読部２７１を機能させて該ＱＲコード１１を解読させることにより購入くじ券情報を取得する。
【００４３】
ステップ６０２
購入くじ券情報・電話番号送信処理部２７２を機能させて前記購入くじ券情報と連絡先となる携帯電話機２の電話番号を対応させてくじ管理センター３のくじ管理サーバ３０に送信する処理を実行する。
【００４４】
ステップ６０３
くじ管理センター３のくじ管理サーバ３０からの当選番号受信待ち状態となる。
【００４５】
ステップ６０４
くじ管理センター３のくじ管理サーバ３０から当選番号を受信すると、該当当選番号受信処理部２７３を機能させて表示部２２に当選番号を表示する処理を実行する。
【００４６】
図７は、くじ抽選会場４に設置された抽選会場クライアント４０の制御部４４が実行する処理のフローチャートである。
【００４７】
ステップ７０１
入力操作部４１からの当選番号入力待ちを行う。
【００４８】
ステップ７０２
入力操作部４１から当選番号が入力されると、当選番号送信処理部４４１を機能させて該当選番号をくじ管理センター３のくじ管理サーバ３０に送信する。
【実施例２】
【００４９】
実施例１では、抽選結果（当選番号）の連絡先を携帯電話機２の電話番号としたが、該携帯電話機２のメールアドレスとすることも可能である。
【図面の簡単な説明】
【００５０】
【図１】本発明になるくじ当選通知システムの全体構成を示す概要図である。
【図２】本発明になるくじ当選通知システムの全体構成を示すブロック図である。
【図３】購入するくじ券の購入くじ券情報を管理する購入くじ券情報・電話番号管理テーブルの記録フォーマットである。
【図４】当選したくじの情報を管理する当選番号情報管理テーブルの記録フォーマットである。
【図５】本発明になるくじ当選通知システムにおけるくじ管理センターに設置されたくじ管理サーバの制御部が実行する処理のフローチャートである。
【図６】本発明になるくじ当選通知システムにおける携帯電話機の制御部が実行する処理のフローチャートである。
【図７】本発明になるくじ当選通知システムにおける抽選会場に設置された抽選会場クライアントの制御部が実行する処理のフローチャートである。
【符号の説明】
【００５１】
１…くじ券
１１…ＱＲコード
２…携帯電話機
２１…ＱＲコード読取部
２２…表示部
２５…入力操作部
２７…制御部
２７１…ＱＲコード解読処理部
２７２…購入くじ券情報・電話番号送信処理部
２７３…該当当選番号受信処理部
３…くじ管理センター
３０…くじ管理サーバ
３１…入力操作部
３４…購入くじ券情報・電話番号管理テーブル
３５…当選番号情報管理テーブル
３６…制御部
３６１…購入くじ券情報・電話番号受信処理部
３６２…当選番号受信処理部
３６３…購入くじ券当選番号抽出処理部
３６４…当選番号送信処理部
４…くじ抽選会場
４０…抽選会場クライアント
４１…入力操作部
４４…制御部
４４１…当選番号送信処理部
【図１】
2008152683.tif 000003
【図２】
2008152683.tif 000004
【図３】
2008152683.tif 000005
【図４】
2008152683.tif 000006
【図５】
2008152683.tif 000007
【図６】
2008152683.tif 000008
【図７】
2008152683.tif 000009